(57)【要約】【課題】  成形天井板の基材を切断する際に、成形天井板の側板部において切断角度を任意に調整することができる成形天井板切断装置を提供する。【解決手段】  基材と表皮材とを有する成形天井板２１を支持する支持台１１に、成形天井板２１の天板部を受けるための天板受け部１１ａと、天板部の左右両側に連続する側板部を受けるための側板受け部１１ｂとを設ける。支持台１１の上方には、支持台１１上に支持された成形天井板２１の基材の端部を左右方向に切断するための切断刃１５を対応配置する。切断刃１５による天板受け部１１ａ上の切断域を中心軸線Ａとして、支持台１１の前後方向における角度を調整するための角度調整機構１８を設ける。【選択図】      図２
2006123083.tif 000002
【特許請求の範囲】
【請求項１】
基材と表皮材とを有する成形天井板の天板部を受けるための天板受け部と、前記天板部の左右両側に連続する側板部を受けるための側板受け部とが設けられた支持台と、その支持台に対応配置され、支持台上に支持された成形天井板の基材の端部を左右方向に切断する切断刃とを備えた成形天井板切断装置において、
前記支持台の前後方向における角度を調整するための角度調整手段を設けたことを特徴とする成形天井板切断装置。
【請求項２】
前記角度調整手段は、前記支持台を前記切断刃による前記天板受け部上の切断域を中心にして角度を調整することを特徴とする請求項１に記載の成形天井板切断装置。
【請求項３】
前記支持台は、その天板受け部及び側板受け部に、前記切断刃の刃先を逃がすための逃げ溝を有し、前記角度調整手段は、逃げ溝付近を中心にして支持台の角度を調整することを特徴とする請求項２に記載の成形天井板切断装置。
【請求項４】
前記角度調整手段は、支持台を支持するためのジャッキよりなることを特徴とする請求項１〜請求項３のうちのいずれか一項に記載の成形天井板切断装置。
【請求項５】
前記支持台は、その前後方向において分割されるとともに、分割された後端の部分の前後位置が調節可能であることを特徴とする請求項１〜請求項４のうちのいずれか一項に記載の成形天井板切断装置。
【発明の詳細な説明】
【技術分野】
【０００１】
この発明は、例えば自動車等の車両の成形天井板のように、基材上に表皮材を重合させてなるワークにおいて、基材をその端縁に沿って所定幅にわたり切断して除去する場合等に使用する成形天井板切断装置に関するものである。
【背景技術】
【０００２】
従来、自動車等の車両において車室内の天井に装着される成形天井板は、車両の前後長が長い場合、前後に２分割状態でそれぞれ成形して、それらの対向端を端面処理した状態で接合させることがある。この場合、図５に示すように成形天井板２１は、ウレタン等の比較的硬質の材料よりなるシート状の基材２２に、ポリエステル等のファブリックよりなる表皮材２３を重合した状態で、所定形状に成形されている。そして、図６（ａ）及び（ｂ）に示すように、この成形天井板２１の基材２２をその端縁に沿って所定幅にわたり切断除去して、表皮材２３の端部に突出部２３ａを形成する。その後、図６（ｃ）に示すように、表皮材２３の突出部２３ａを基材２２の端面が内包されるように折り返して、接着剤により基材２２に接着固定している。
【発明の開示】
【発明が解決しようとする課題】
【０００３】
ところで、図５に示すように、前記成形天井板２１が、中央の天板部２１ａと、その左右両側に連続する傾斜状の側板部２１ｂとから構成されている場合において、成形天井板２１の基材２２を切断する際に、その切断線Ｌ１の位置を変更する場合があった。すなわち、車両に対する組み付け上の問題等のために、成形天井板２１の側板部２１ｂにおいて、切断線Ｌ１の角度を例えば図５に斜線Ｌ１ａ，Ｌ１ｂで示すように角度変更する場合があった。
【０００４】
この発明は、このような従来の技術に存在する問題点に着目してなされたものである。その目的は、成形天井板の基材を切断する際に、その成形天井板の側板部において切断角度を任意に調整することができる成形天井板切断装置を提供することにある。
【課題を解決するための手段】
【０００５】
上記の目的を達成するために、請求項１に記載の発明は、基材と表皮材とを有する成形天井板の天板部を受けるための天板受け部と、前記天板部の左右両側に連続する側板部を受けるための側板受け部とが設けられた支持台と、その支持台に対応配置され、支持台上に支持された成形天井板の基材の端部を左右方向に切断する切断刃とを備えた成形天井板切断装置において、前記支持台の前後方向における角度を調整するための角度調整手段を設けたことを特徴とするものである。
【０００６】
請求項２に記載の発明は、請求項１に記載の発明において、前記角度調整手段は、前記支持台を前記切断刃による前記天板受け部上の切断域を中心にして角度を調整することを特徴とするものである。
【０００７】
請求項３に記載の発明は、請求項２に記載の発明において、前記支持台が、その天板受け部及び側板受け部に、前記切断刃の刃先を逃がすための逃げ溝を有し、前記角度調整手段が、逃げ溝付近を中心にして支持台の角度を調整することを特徴とするものである。
【０００８】
請求項４に記載の発明においては、請求項１〜請求項３のうちのいずれか一項に記載の発明において、前記角度調整手段は、支持台を支持するためのジャッキよりなることを特徴とするものである。
【０００９】
請求項５に記載の発明においては、請求項１〜請求項４のうちのいずれか一項に記載の発明において、前記支持台は、その前後方向において分割されるとともに、分割された後端部分の前後位置が調節可能であることを特徴とするものである。
【００１０】
（作用）
請求項１に記載の発明においては、成形天井板の基材を切断刃により切断線に沿って切断する際に、成形天井板を支持する支持台の前後方向の角度を回動調整する。これにより、成形天井板の側板部における切断角度を任意に設定変更することができる。
【００１１】
請求項２に記載の発明においては、支持台を切断刃による天板受け部上の切断域を中心にして回動調節すれば、切断位置がほとんど変更されることなく、切断角度を調節できる。
【００１２】
請求項２に記載の発明においては、成形天井板の天板部及び両側板部と対応する凹状の刃先を備えた切断刃により、成形天井板の天板部及び両側板部を一度に切断することができる。
【００１３】
請求項３に記載の発明においては、角度調整手段をジャッキによって構成したことにより、構成が簡単である。
請求項４に記載の発明においては、支持台の分割された後端部分を前後に移動させることにより、長さの異なる成形天井板に対応できる。
【発明の効果】
【００１４】
以上のように、この発明によれば、成形天井板の基材を切断する際に、その成形天井板の側板部の切断角度を任意に調整することができて、組み付け時の要求等に対応でき、高精度組み付けを達成できる。
【発明を実施するための最良の形態】
【００１５】
以下に、この発明の一実施形態を、図１〜図４に基づいて説明する。なお、この実施形態においては、成形天井板及びその関連構成については、図５及び図６に示す構成符号と同一の符号を引用して、それらの詳細な説明は省略する。
【００１６】
図１及び図２に示すように、この成形天井板切断装置には、基材２２上に表皮材２３を重合させてなる成形天井板２１を支持するための支持台１１が装備されている。この支持台１１は、前端部分を形成する第１支持台１１Ａ、中間部分を形成する第２支持台１１Ｂ及び後端部分を形成する第３支持台１１Ｃの３つに分割して構成されている。第１支持台１１Ａ及び第２支持台１１Ｂは、基台１２の上面に併設して固定されている。第３支持台１１Ｃは、基台１２の上面に第１支持台１１Ａ及び第２支持台１１Ｂと接離する方向へ移動可能に支持されている。基台１２には移動用モータ１３が配設され、この移動用モータ１３により送りネジ１３ａ及びナット１３ｂを介して第３支持台１１Ｃを前後方向の例えば２つの位置に移動させて、前後方向の長さが異なった２種類の成形天井板２１に対応して、支持台１１の全体の長さを調整するようになっている。なお、移動用モータ１３は、第３支持台１１Ｃの前後位置の微調整機能をも有している。
【００１７】
前記支持台１１の第１〜第３支持台１１Ａ〜１１Ｃは、成形天井板２１の天板部２１ａを受けるための天板受け部１１ａと、成形天井板２１の側板部２１ｂを受けるための側板受け部１１ｂとをそれぞれ備えている。第１支持台１１Ａ及び第３支持台１１Ｃの天板受け部１１ａの端部上面には複数の位置決め突起１４が突設され、成形天井板２１の両端に形成された複数の位置決め孔２４をこれらの位置決め突起１４に係合させることにより、成形天井板２１が支持台１１上の所定位置に位置決めされる。
【００１８】
図１〜図３に示すように、前記第１支持台１１Ａの一端上方には切断刃１５が昇降可能に配設され、その切断刃１５の下端には成形天井板２１の天板部２１ａ及び両側板部２１ｂに対応する凹状の刃先１５ａが形成されている。図１〜図３に示すように、前記第１支持台１１Ａの天板受け部１１ａ及び側板受け部１１ｂには、切断刃１５の刃先１５ａを逃がすための断面ほぼＶ字状の逃げ溝１７が形成されている。
【００１９】
そして、支持台１１上に成形天井板２１を表皮材２３が下側になるように支持した状態で、この切断刃１５が上方の退避位置から下方の切断位置に下降移動されたとき、刃先１５ａにより成形天井板２１の基材２２がせん断にて同時に切断される。この場合、表皮材２３は柔軟性があるため、切断刃１５とともに逃げ溝１７内に逃げて、そのせん断が避けられる。
【００２０】
前記切断刃１５の前後両側に位置するように、第１支持台１１Ａの一端上方には一対のワーク押え１６が昇降可能に配設され、それらのワーク押え１６の下端には成形天井板２１の天板部２１ａ及び両側板部２１ｂに対応する凹状の押え部１６ａが形成されている。そして、切断刃１５による切断動作に先立って、これらのワーク押え１６が上方の待機位置から下方の押え位置に下降移動されたとき、押え部１６ａにより切断刃１５の刃先１５ａと対応する成形天井板２１の切断部分が両側近傍において第１支持台１１Ａ上に押圧される。
【００２１】
前記基台１２の下部には、支持台１１の前後方向における角度を調整するための角度調整手段としての角度調整機構１８が装設されている。この角度調整機構１８は、基台１２の下部に前後方向へ間隔をおいて配設され、基台１２の脚を兼用する一対のジャッキ１９から構成されている。従って、支持台１１は基台１２を介してジャッキ１９により支持されている。そして、これらのジャッキ１９にて基台１２の前後２位置における高さが変更されることにより、支持台１１の前後方向の傾き角度が天板受け部１１ａ上の切断域の逃げ溝１７付近の軸線Ａを中心に回動調整される。これにより、図４に示すように、切断刃１５による垂直方向の切断面に対する支持台１１上の成形天井板２１の対向角度が変更されて、切断刃１５による基材２２上の切断線Ｌ１の位置が、図５に斜線Ｌ１ａ，Ｌ１ｂで示すように、成形天井板２１の側板部２１ｂにおいて任意に変更される。
【００２２】
次に、前記のように構成された成形天井板切断装置の動作を説明する。
さて、この切断装置の運転開始前には、ワークとしての成形天井板２１の前後方向の長さに応じて、移動用モータ１３により第３支持台１１Ｃが前後方向に位置変更されて、支持台１１の全体の長さが調整される。また、成形天井板２１の側板部２１ｂにおける切断線Ｌ１の位置が所望の角度状態となるように、ジャッキ１９により基台１２の前後２位置における高さが変更されて、支持台１１の前後方向の傾き角度が天板受け部１１ａ上の切断域の逃げ溝１７付近の軸線Ａを中心に回動調整される。
【００２３】
この状態で、支持台１１上に成形天井板２１を支持して、位置決め孔２４と位置決め突起１４との係合により所定位置に位置決め配置する。その後、切断装置が起動されると、図３に示すように、両ワーク押え１６が上方の待機位置から下方の押え位置に下降移動されて、切断刃１５の刃先１５ａと対応する成形天井板２１の切断部分が支持台１１に対して押圧される。さらに、切断刃１５が上方の退避位置から下方の切断位置に下降移動され、刃先１５ａにより成形天井板２１の基材２２がせん断にて切断されて、図６（ｂ）に示すように、表皮材２３に突出部２３ａが形成される。
【００２４】
この場合、支持台１１の前後方向の傾き角度が予め回動調整されているため、成形天井板２１の側板部２１ｂにおいては、図５に示すように、切断線Ｌ１が斜線Ｌ１ａ，Ｌ１ｂのように所望の角度状態となるように切断動作が行われる。従って、例えば、車両に対する組み付け上の要求に対応できる。
【００２５】
以上のように、この実施形態においては、以下の効果を発揮する。
・  成形天井板２１の側板部２１ｂを所望の角度に切断できるため、車両に対する組み付け上の要求に対応して、組み付け精度等を向上できる。
【００２６】
・  支持台１１の角度を調整するための手段として、一対のジャッキ１９を設けただけであるので、角度調整をモータ等によって行うように構成した場合等と異なり、構成が簡単である。
【００２７】
・  支持台１１の第３支持台１１Ｃの前後位置を調整できるため、長さの異なる複数種類の成形天井板２１の切断に対応できる。
・  また、第３支持台１１Ｃの前後位置を微調整できるため、成形天井板２１の所要の位置に対して正確な切断加工を施すことができる。
（変更例）
なお、この実施形態は、次のように変更して具体化することも可能である。
【００２８】
・  前記実施形態において、角度調整機構１８としてのジャッキ１９に代えて、基台１２上にスペーサを介して第２支持台１１Ｂ及び第３支持台１１Ｃを配置し、スペーサを高さの異なったものと変更することにより、支持台１１全体の前後方向の傾斜角度を調整するように構成すること。
【００２９】
・  前記実施形態において、第３支持台１１Ｃを３つ以上の複数の位置に移動させて、前後方向の長さが異なった３種類以上の複数種の成形天井板２１に適用できるように構成すること。
【００３０】
・  前記実施形態において、逃げ溝１７を断面ほぼＵ字状等の異なった形状に形成すること。
・  角度調整手段としての角度調整機構１８が支持台１１を切断刃１５による天板受け部１１ａ上の切断域を以外のところ、例えば支持台１１の下端部の所要位置を中心にして角度を調整するように構成すること。
【図面の簡単な説明】
【００３１】
【図１】一実施形態の成形天井板切断装置を示す要部分解斜視図。
【図２】図１の成形天井板切断装置の側面図。
【図３】同じく成形天井板切断装置の部分拡大断面図。
【図４】成形天井板の異なった切断方法を説明するための側面図。
【図５】車両の成形天井板を示す斜視図。
【図６】（ａ）は図５の６−６線における部分拡大断面図。（ｂ）は（ａ）の状態から基材の一部を切断除去した状態を示す部分断面図。（ｃ）は（ｂ）の状態から表皮材の突出部を折り返した状態を示す部分断面図。
【符号の説明】
【００３２】
１１…支持台、１１Ａ…第１支持台、１１Ｂ…第２支持台、１１Ｃ…第３支持台、１１ａ…天板受け部、１１ｂ…側板受け部、１２…基台、１３…移動用モータ、１５…切断刃、１５ａ…刃先、１７…逃げ溝、１８…角度調整手段としての角度調整機構、１９…ジャッキ、２１…成形天井板、２１ａ…天板部、２１ｂ…側板部、２２…基材、２３…表皮材、Ｌ１…切断線、Ａ…中心軸線。
【図１】
2006123083.tif 000003
【図２】
2006123083.tif 000004
【図３】
2006123083.tif 000005
【図４】
2006123083.tif 000006
【図５】
2006123083.tif 000007
【図６】
2006123083.tif 000008